(57)【要約】【課題】燃料タンク、および燃料チューブを障害物から確実に保護することができ、かつエンジンの着脱が容易で組立性、および整備性に優れる背負式作業機の背負いフレーム提供すること。【解決手段】エンジンと、燃料タンクとを取着した背負式作業機の背負いフレームにおいて、前記背負いフレームは、背負いフレームの前面に前記燃料タンクを収納する収納部を備えるとともに、前記収納部は、前記燃料タンクの側面を覆う枠を備え、かつ前記燃料タンクは、前記背負いフレームの前記収納部に収納された状態において、前記エンジンを前記背負いフレームに回動自在に軸支する支持軸の軸端を露出する貫通孔を有する燃料タンクであることを特徴とする。【選択図】　　　　図１
2004076610.tif 000002
【特許請求の範囲】
【請求項１】
エンジンと、燃料タンクとを取着した、背負式作業機の背負いフレームにおいて、前記背負いフレームは、背負いフレームの前面に前記燃料タンクを収納する収納部を備えるとともに、前記収納部は、前記燃料タンクの側面を覆う枠を備えてなることを特徴とする背負式作業機の背負いフレーム。
【請求項２】
前記燃料タンクは、前記背負いフレームの前記収納部に収納された状態において、前記エンジンを前記背負いフレームに回動自在に軸支する支持軸の軸端を露出する貫通孔を有する燃料タンクであることを特徴とする請求項１記載の背負式作業機の背負いフレーム。
【請求項３】
前記背負いフレームは、前記燃料タンクの側面を覆う枠部に、燃料タンク内の燃料の量を目視により外部から確認することができる窓を設けてなることを特徴とする請求項１記載の背負式作業機の背負フレーム。
【請求項４】
前記背負いフレームは、樹脂材の一体成形加工によって形成されていることを特徴とする請求項１記載の背負式作業機械の背負いフレーム。
【請求項５】
前記燃料タンクは、該燃料タンクから、前記エンジンに燃料を供給する燃料ホースを備え、該燃料ホースは、前記燃料タンクから、前記燃料タンクの貫通孔を挿通し、前記エンジンに接続する燃料ホースであることを特徴とする請求項１〜４のいずれかに記載の背負式作業機械の背負いフレーム。
【請求項６】
前記背負いフレームは、該背負いフレームの前面に取付けられ、背負いフレームの燃料タンクの収納部を覆う背負いパッドを備え、該背負いパッドは、燃料の吹きかかり防止する遮蔽部を設けてなることを特徴とする請求項１〜５のいずれかに記載の背負式作業機械の背負いフレーム。
【発明の詳細な説明】
【０００１】
【発明の属する技術分野】
本発明は、背負式作業機の背負いフレームに関する。
【０００２】
【従来の技術】
従来の背負式作業機の背負いフレームには、例えば図５に示すような、特許第２７０９４０１号公報記載のものが知られている。図５において、燃料タンク２００は、パイプ材によって形成された背負フレーム１００の垂直部１１０の前面にボルト等で固定されている。一方エンジン（図示せず）は、背負いフレーム１００の水平部１２０に取着された支持部材１２１および上部支持部材１２２によって、Ｙ軸（垂直軸）回りに回動自在に支持されている。また、燃料タンク２００の前面には背負いパッド２１０が取り付けられている。これにより、作業者は背負いバンド２２０を肩にかけ、背負いパッド２１０を背中に当て、比較的重量物であるエンジンや燃料タンク２００を取り付けた背負いフレーム１００を背負って、手や腕にかかる負担を軽減して作業を行うことが可能である。
【０００３】
【発明が解決しようとする課題】
ところが、図５に示すように、燃料タンク２００は、該燃料タンク２００の側面が外部に露出しているので、作業中に燃料タンク２００を障害物等にぶつけたりすることにより、燃料タンク２００を破損する可能性がある。
【０００４】
また、図５のように、背負いフレーム１００の垂直部１１０に取着した支持部材１１１（２点鎖線で示す）によって、エンジンをＸ軸（水平軸）回りに回転自在に支持する構成とする場合は、次のような問題を生じる。即ち、図５に示すように、燃料タンク２００は背負フレーム１００の垂直部１１０の前面側に近接して配設されているので、エンジンの支持部材１１１にエンジンの支持軸（図示せず）を取り付け、または取り外す作業を行う際に、支持部材１１１の前部と燃料タンク２００の後面との間の作業スペースが小さく、エンジンの着脱作業が困難であり、このため組立性や整備性が悪い。さらに、前記作業スペースを確保するため、エンジンを燃料タンク２００の後面から後方に離間した位置に配設すると、重心位置が後方に移動するため、作業者への負担が増大すると同時に、背負いフレーム１００にエンジンをコンパクトに収めることができない。
【０００５】
また、図５に示す燃料タンク２００に取り付けられている燃料チューブ２０１（一部省略図）は、外部にむきだしとなっているので、作業中に該燃料チューブ２０１が障害物等にひっかかることにより、燃料チューブ２０１を破損する恐れがある。
【０００６】
本発明は、上記の問題点に着目してなされたものであり、燃料タンク、および燃料チューブを障害物から確実に保護することができ、かつエンジンの着脱が容易で組立性、および整備性に優れる背負式作業機の背負いフレーム提供することを目的としている。
【０００７】
【課題を解決するための手段、作用及び効果】
上記の目的を達成するために、本発明に係わる第１の発明は、エンジンと、燃料タンクとを取着した、背負式作業機の背負フレームにおいて、前記背負いフレームは、背負いフレームの前面に前記燃料タンクを収納する収納部を備えるとともに、前記収納部は、前記燃料タンクの側面を覆う枠を備えてなることを特徴としている。
【０００８】
第１の発明によれば、前記背負いフレームの前面に前記燃料タンクを収納する収納部を備えるとともに、前記収納部は、前記燃料タンクの側面を覆う枠を備えているので、燃料タンクの側面を障害物から保護し、燃料タンクの破損を防止することができる。
【０００９】
第２の発明は、第１の発明において、前記燃料タンクは、前記背負いフレームの前記収納部に収納された状態において、前記エンジンを前記背負いフレームに回動自在に軸支する支持軸の軸端を露出する貫通孔を有する燃料タンクであることを特徴としている。
【００１０】
第２の発明によれば、前記燃料タンクは、前記背負いフレームの前記収納部に収納された状態において、前記エンジンを前記背負いフレームに回動自在に軸支する支持軸の軸端を露出する貫通孔を備えているので、前記支持軸を背負いフレームに取り付け、または取り外す作業を行う際に、前記貫通孔を通して作業を行うことができる。従って、エンジンの着脱作業が容易で、組立性や整備性が向上する。更に、前記構造によれば、前記エンジンを燃料タンクの後面に近接して配設することができるので、エンジンの重心位置を前方、即ち作業者の背中の近くに保持することができる。その結果、作業者への重量の負担を軽減することができ、かつ背負いフレームにエンジンをコンパクトに収めることができる。
【００１１】
第３の発明は、第１の発明において、前記背負いフレームは、前記燃料タンクの側面を覆う枠部に、燃料タンク内の燃料の量を目視により外部から確認することができる窓を設けてなることを特徴とする。
【００１２】
第３の発明によると、前記背負いフレームは、前記燃料タンクの側面を覆う枠部に、燃料タンク内の燃料の量を目視により外部から確認することができる窓を設けているので、作業者は作業中においても、燃料タンク内の燃料の量を目視により容易に確認することができる。
【００１３】
第４の発明は、第１の発明において、前記背負いフレームは、樹脂材の一体成形加工によって形成されていることを特徴とする。
【００１４】
第４の発明によると、前記背負いフレームは、樹脂材の一体成形加工によって形成されているので、外観がなめらかで衝撃等の外力に強く、また製造コストが安く大量生産に適している。
【００１５】
第５の発明は、第１〜第４のいずれかの発明において、前記燃料タンクは、該燃料タンクから、前記エンジンに燃料を供給する燃料ホースを備え、該燃料ホースは、前記燃料タンクから、前記燃料タンクの貫通孔を挿通し、前記エンジンに接続する燃料ホースであることを特徴とする。
【００１６】
第５の発明によると、第１〜第４のいずれかの発明において、前記燃料タンクは、該燃料タンクから、前記エンジンに燃料を供給する燃料ホースを備え、該燃料ホースは、前記燃料タンクから、前記燃料タンクの貫通孔を挿通し、前記エンジンに接続する燃料ホースであるので、作業中のエンジンの回動に伴う燃料チューブの移動がなく、また燃料チューブが障害物にひっかかって破損する恐れもない。
【００１７】
第６の発明は、第１〜第５のいずれかの発明において、前記背負いフレームは、該背負いフレームの前面に取付けられ、背負いフレームの燃料タンクの収納部を覆う背負いパッドを備え、該背負いパッドは、燃料の吹きかかり防止する遮蔽部を設けていることを特徴とする。
【００１８】
第６の発明によると，第１〜第５のいずれかの発明において、前記背負いフレームは、該背負いフレームの前面に取付けられ、背負いフレームの燃料タンクの収納部を覆う背負いパッドを備え、該背負いパッドは、燃料の吹きかかり防止する遮蔽部を設けているので、燃料を燃料タンクに補給する時に、背負いパッドへの燃料の付着を防止する効果がある。
【００１９】
【発明の実施の形態】
以下、本発明に係わる実施の形態について、図面を参照して説明する。
【００２０】
本発明に係わる実施例を、図１〜図４により説明する。図１は本発明に係わる背負い式作業機の背負い部の一例であり、図２は背負い式作業機の背負い部の側面断面図である。図１および図２において、１は背負いフレームであり、この背負いフレーム１にエンジン３および燃料タンク２が取着されている。
【００２１】
図２に示す背負いフレーム１は、樹脂材の一体成形加工により製造されたものであり、該背負いフレーム１の垂直部１１には、収納部１３が成形されている。また、背負いフレーム１の垂直部１１の上部には、取っ手部１Ｔが成形されている。収納部１３には燃料タンク２が収納され、収納された燃料タンク２は、燃料タンク２の周囲に設けられたフランジ部２１において、ボルト５により背負いフレーム１に固着されている。一方、図１に示すように、背負いフレーム１は、垂直部１１の端部に枠１４を形成している。そして、図３に示すように、背負いフレーム１の左右端部の枠１４は、燃料タンク２の側面を覆うように形成され、かつ一方に枠１４には、燃料タンク内部の燃料の残量を確認するための窓１４ａ，１４ｂ，１４ｃが設けられている。これにより、枠１４は、燃料タンク２を保護することができる。また、作業者は、前記窓１４ａ，１４ｂ，１４ｃを通して燃料タンク２内部の燃料の残量を確認しながら、安心して作業を行うことができる。
【００２２】
また、図２に示すように、エンジン３は、ベアリング３２、支持部材３３および緩衝部材３４を介して、背負いフレーム１の垂直部１１に、支持軸３１により回動自在に軸支されている。一方、燃料タンク２は、背負いフレーム１の垂直部１１に形成された収納部１３に収納された状態において、前記支持軸３１の軸端３２を露出する位置に貫通孔２２を備えている。これにより、エンジン３を取り付け、または取り外す作業を行う際に、前記貫通孔２２を通して作業を行うことができるので、エンジン３の着脱作業が容易で、組立性や整備性が優れている。更に、前記構造によれば、エンジン３を燃料タンク２の後面に近接して配設することができるので、エンジン３の重心位置を前方、即ち作業者の背中の近くに保持することができる。その結果、作業者への重量の負担を軽減することができ、かつ背負いフレーム１にエンジン３をコンパクトに収めることができる。
【００２３】
次に、燃料タンク２から、エンジン３に燃料を供給する燃料ホース４は、図２に示すように、燃料タンク３の燃料出口（図示せず）から、燃料タンク２の貫通孔２２、およびエンジンの支持軸３１の中空部を挿通し、エンジン３の燃料供給口（図示せず）に接続されている。このため、作業中にエンジン３が回動しても、燃料チューブ４がエンジン３に対して移動することがなく、また障害物にひっかかって破損する恐れもない。
【００２４】
図２において、背負いフレーム１には、背負いフレーム１の燃料タンク２の収納部１３に収納された燃料タンク２を覆う背負いパッド６が取着される。そして、図４に示すように、該背負いパッド６は、燃料注入口２３に近接する部分に、背負いパッド６に遮蔽部６１を設けている。この遮蔽部６１は、燃料を燃料注入口２３から燃料タンクタンク２に補給する時の、燃料の吹きこぼれによる背負いパッド６の前面６ａへの燃料の付着を防止する。
【図面の簡単な説明】
【図１】本発明に係わる背負式作業機の背負いフレームに、エンジン、燃料タンクおよび背負いパッドが取着された状態を示す斜視図である。
【図２】本発明に係わる背負式作業機の背負いフレームに、エンジン、燃料タンクおよび背負いパッドが取着された状態を示す側面断面図である。
【図３】本発明に係わる背負式作業機の背負いフレームに、燃料タンクを収納した状態を示す斜視図である。
【図４】図３の状態に背負いパッドを取着した状態を示す斜視図である。
【図５】従来の背負式作業機の背負いフレームの分解斜視図である。
【符号の説明】
１…背負いフレーム、２…燃料タンク、３…エンジン、４…燃料ホース、６…背負いパッド、１３…収納部、１４…枠、１４ａ，１４ｂ，１４ｃ…窓、２２…貫通孔、２３…燃料注入口、３１…支持軸、３２…軸端、６１…遮蔽部。
【図１】
2004076610.tif 000003
【図２】
2004076610.tif 000004
【図３】
2004076610.tif 000005
【図４】
2004076610.tif 000006
【図５】
2004076610.tif 000007